(57)【要約】【課題】  構造が簡単で設備コストの安い長尺材の表面処理装置及び表面処理方法を提供し、処理液の垂痕の付かない、綺麗な仕上がりの長尺材を得る。【解決手段】  横吊りされた複数の長尺材を処理槽に対して上下移動させるための横吊り治具であって、水平ビームと該水平ビームに取り付けた複数の治具柱を備え、該複数の治具柱のうち前記複数の長尺材の端部に相当する箇所にある治具柱は前記水平ビームの鉛直線に対して対向する他の治具柱側に所定角度を保って傾斜しており、前記複数の治具柱には、前記傾斜させた治具柱に前記複数の長尺材の一端を揃えて保持し、該長尺材の他端側の治具柱に該長尺材の他端を一端より高い位置に保持して傾斜させて横吊りに保持するための保持具が取り付けられてなることを特徴とする。【選択図】    図１
2008101231.tif 000002
【特許請求の範囲】
【請求項１】
横吊りされた複数の長尺材を処理槽に対して上下移動させるための横吊り治具であって、水平ビームと該水平ビームに取り付けた複数の治具柱を備え、該複数の治具柱のうち前記複数の長尺材の端部に相当する箇所にある治具柱は前記水平ビームの鉛直線に対して対向する他の治具柱側に所定角度を保って傾斜しており、前記複数の治具柱には、前記傾斜させた治具柱に前記複数の長尺材の一端を揃えて保持し、該長尺材の他端側の治具柱に該長尺材の他端を一端より高い位置に保持して傾斜させて横吊りに保持するための保持具が取り付けられてなることを特徴とする長尺材の横吊り治具。
【請求項２】
前記傾斜させた治具柱と前記長尺材の他端側の治具柱が、前記水平ビームの鉛直線に対して同じ所定角度を保って平行に取り付けられてなることを特徴とする請求項１に記載の長尺材の横吊り治具。
【請求項３】
前記所定の角度に傾斜し、前記複数の長尺材の一端を揃えて保持した治具柱に取り付けられた保持具が、導電保持具であることを特徴とする請求項１または２に記載の長尺材の横吊り治具。
【請求項４】
前記所定の角度に傾斜した治具柱と前記水平ビームの鉛直線とがなす所定角度が、６度〜１５度であることを特徴とする請求項１から３のいずれか１項に記載の長尺材の横吊り治具。
【請求項５】
前記所定の角度に傾斜した治具柱に取り付けられた保持具が、複数の長尺材を前記傾斜した治具柱の軸方向に対して略直角に保持するように取り付けられてなることを特徴とする請求項１から４のいずれか１項に記載の長尺材の横吊り治具。
【請求項６】
処理槽の向かい合う側壁の上面に軌条を敷設し、該軌条上を走行可能な門型架台を備え、該門型架台の横梁に前記請求項１から５のいずれか１項に記載の長尺材の横吊り治具の両端を門型架台に備えた上下動手段で上下させて長尺材を処理槽内の処理液中に浸漬・引き上げするように構成してなることを特徴とする長尺材の表面処理装置。
【請求項７】
請求項１から５のいずれか１項に記載の長尺材の横吊り治具に、複数の長尺材を縦１列に配置して取り付けて斜め横吊りに保持し、次いで該長尺材を横吊り保持した横吊り治具を前記請求項６に記載の長尺材の表面処理装置を使用して、処理槽の処理液内に浸漬して長尺材に表面処理を施した後、該横吊り治具を前記処理液から引き上げ、長尺材に付着していた処理液を液切りすることを特徴とする長尺材の表面処理方法。
【請求項８】
請求項１から５のいずれか１項に記載の長尺材の横吊り治具に、複数の長尺材をその側面からの投影が重ならないように、かつ他端または一端からの投影が千鳥状になるように複数列配置して取り付けて斜め横吊りに保持し、次いで該長尺材を保持した長尺材の横吊り治具を前記請求項６に記載の長尺材の表面処理装置を使用して、処理槽の処理液内に浸漬して長尺材に表面処理を施した後、該長尺材の横吊り治具を前記処理液から引き上げ、長尺材に付着していた処理液を液切りすることを特徴とする長尺材の表面処理方法。
【発明の詳細な説明】
【技術分野】
【０００１】
本発明は、アルミニウム建材等の長尺材を横吊り状態に吊って処理液中で表面処理を行う際に使用する横吊り治具、及びそれを使用した表面処理装置、並びに表面処理方法に関するものである。
【背景技術】
【０００２】
トラックのアオリ板や、住宅用建材、ビル用建材等のアルミニウム製長尺材料は、表面に陽極酸化処理を施したり、さらにその後の電解着色、染色、封孔、電着塗装、乾燥等の各種の表面処理を施して使用されるのが通例である。これらの表面処理を施すには、被処理長尺材を目的の処理に従って、例えば前処理用のアルカリ水性溶液槽、酸性水溶液槽、洗浄用の水洗処理槽等の各種の処理槽に順次送給し、被処理長尺材を各種処理液等に浸漬させた後液切りをして、乾燥または焼付炉に送られる。
これら一連の処理は多数の被処理長尺材を一度に処理することが生産性の点から極めて重要である。そこで、通常多数の被処理長尺材を上下に連ねて吊り下げて処理液に浸漬させる方法が行われている。この方法に依れば、被処理長尺材が処理液から出されて乾燥炉あるいは焼付炉等の加熱炉に入るまでに、被処理長尺材は液切りされて乾燥が始まるが、上位に吊り下げられた被処理長尺材の残液が、下位に吊り下げられた被処理長尺材の乾燥箇所に垂下することがある。すると、その部分が垂痕となって仕上がり不良個所となる。この垂痕は特に加熱炉を通過すると顕著となる。前記液切り時間は１０〜１５分程度予定されているが、この間に液切りを行って被処理長尺材の表面をほとんど乾燥状態にすることが重要である。
【０００３】
従来、アルミニウム製建材等の長尺材の表面処理を行う方法として、処理効率に優れた横吊り方式の長尺材表面処理装置が提案されている。この表面処理装置は、長尺材を横長に把持して処理槽中の表面処理液に浸漬させる方式であり、左右の昇降体ごとにこれらを駆動する左右一対の電動機が設けられており、左右の昇降体は長尺材が表面処理液中に浸漬させるときは同レベルに、長尺材の液切りをするときは異なるレベルに位置するように構成されている（例えば、特許文献１参照。）。
この方式によれば、左右の各昇降体はそれぞれ独立した電動機により個別に駆動されるので、左右の昇降体が浸漬位置にあるときは同レベルに、液切り位置にあるときは異なるレベルに位置するので、処理時には長尺材を処理槽内に無駄が生じないように浸漬することができ、また液切り時には長尺材を傾斜させて確実に液切りすることができるので、極めて効率よく処理できるとされている。
【特許文献１】特開平０９−０４１１９７号公報
【発明の開示】
【発明が解決しようとする課題】
【０００４】
しかし、上記特許文献１に開示された表面処理装置では、左右夫々に速度調整が可能で、しかも処理枠が昇降体から外れないように連動する複雑な電動機が必要となり、構造が複雑で設備コストがかさむ難点がある。
本発明は、上記実情に鑑みなされたものであって、構造が簡単で設備コストの安い長尺材の表面処理装置及び表面処理方法を提供することを目的とする。特に、被処理長尺材を横吊り状態に吊って処理液中で表面処理を行う際に使用する横吊り治具であって、複雑な移送装置を不要とし、処理液の垂痕が付かない長尺材を得るための横吊り治具と、該横吊り治具を使用した表面処理装置並びに表面処理方法を提供することを目的とする。
【課題を解決するための手段】
【０００５】
本発明では、水平ビームと該水平ビームに取り付けた複数の治具柱を備え、該複数の治具柱のうち前記複数の長尺材の端部に相当する箇所にある治具柱は前記水平ビームの鉛直線に対して対向する他の治具柱側に所定角度を保って傾斜しており、前記複数の治具柱には、前記傾斜させた治具柱に前記複数の長尺材の一端を揃えて保持し、該長尺材の他端側の治具柱に該長尺材の他端を一端より高い位置に保持して傾斜させて横吊りに保持するための保持具が取り付けられている長尺材の横吊り治具を使用することとした。
このような長尺材の横吊り治具を使用して、水平ビームの鉛直方向に対して対向する他の治具柱側に所定角度を保つように傾斜した治具柱に、複数の長尺材の一端を揃えて保持し、他端を前記一端より上方位置になるように横吊りして、横吊り治具を処理槽に対し上下移動するだけで、上記課題を解決することができる。
【０００６】
本発明で使用する長尺材の横吊り治具は、傾斜させた治具柱と前記長尺材の他端側の治具柱が、前記水平ビームの鉛直線に対して同じ所定角度を保って平行に取り付けられているものであっても良い。
長尺材の横吊り治具をこのように構成することにより、長尺材を多数保持することができ、処理液は長尺材を伝わって流れ長尺材の下端から滴下するが、その下位に相当する長尺材の一端は取り付けた治具柱の傾斜角度分ずれて存在することになるので、処理液が下位の長尺材に垂れる範囲が狭くなる利点がある。
【０００７】
本発明の長尺材の横吊り治具においては、所定の角度に傾斜し、前記複数の長尺材の一端を揃えて保持した治具柱に取り付けられた保持具が、導電保持具であることが好ましい。
また、所定の角度に傾斜した治具柱と水平ビームの鉛直線とがなす所定角度は、６度〜１５度であることが好ましい。
保持具をこのように構成すれば、長尺材の一端を揃えて確実に保持し、しかも長尺材へ揃えて給電することができるようになる。また、傾斜治具柱にこの程度の傾斜を与えておけば、処理液が下位にある長尺材に垂れることがなく、下位にある長尺材に処理液の垂痕が付かないので製品歩留まりが向上する。
【０００８】
本発明の長尺材の横吊り治具においては、所定の角度に傾斜した治具柱に取り付けられた保持具は、複数の長尺材を該傾斜した治具柱の軸方向に対して略直角に保持するように取り付けられていることが望ましい。
保持具をこのように取り付けることにより、長尺材の荷重を所定の角度に傾斜した治具柱でしっかりと受け止めることができ、長尺材と給電用の導電保持具を密着させて接触抵抗を低くすることが可能となる。
処理液中で長尺材が水平に対して６度〜１５度の角度に保たれている場合は、長尺材表面に発生した気泡あるいは処理液中に巻き込まれた空気等の気泡が上昇する。即ち、被処理長尺材が下方に開口を持つチャンネル材または中空材である場合には、該チャンネル部あるいは該中空部に気泡が集中しても気泡はチャンネル部あるいは中空部を伝わって上方向にあるチャンネル部あるいは中空部端末から逃げ、気泡跡がつかない利点がある。
【０００９】
本発明の長尺材の表面処理装置は、処理槽の向かい合う側壁の上面に軌条を敷設し、該軌条上を走行可能な門型架台を備え、該門型架台の横梁に前記本発明の長尺材の横吊り治具の両端を門型架台に備えた上下動手段で上下させて長尺材を処理槽内の処理液中に浸漬・引き上げするように構成した長尺材の表面処理装置とした。
このような表面処理装置とすれば、設備も簡単で単純な操作によって長尺材を処理液に浸漬・引き上げすることが可能で、しかも処理液が下位にある長尺材に垂れる範囲が狭くなり、処理液の垂痕が付かなくなるので製品歩留まりが向上する。
【００１０】
本発明の長尺材の表面処理装置は、処理槽の向かい合う側壁の上面に給電用軌条を敷設し、長尺材の横吊り治具を降下させて横吊り治具の水平ビームを該給電用軌条上に載置することにより、導電保持具に電力を供給するように構成したものであっても良い。
このような構造とすれば、電解処理を施す必要がある場合には、簡単な操作で確実に給電することが可能になる。
【００１１】
本発明の長尺材の表面処理方法の一つは、上記に記載の本発明の長尺材の横吊り治具に、複数の長尺材を縦１列に配置して取付けて斜め横吊りに保持し、次いで該長尺材を横吊り保持した横吊り治具を前記本発明の長尺材の表面処理装置を使用して、処理槽の処理液内に浸漬して長尺材に表面処理を施した後、該横吊り治具を前記処理液から引き上げ、長尺材に付着していた処理液を液切りする表面処理方法とした。
この方法によれば、簡単な操作で多量の長尺材を処理液に浸漬・引き上げることができ、所定角度に傾斜させた治具柱に複数の長尺材の一端を揃えて保持し、該長尺材の他端側の治具柱に長尺材の他端を一端より高い位置に保持して傾斜しているので処理液が長尺材の下端から滴り落ち、しかも長尺材の一端は取り付けた治具柱の傾斜角度分ずれて存在することになるので下位に取り付けられた長尺材に処理液が滴下する範囲が狭くなり、垂痕に依る製品の仕上がり不良を未然に防ぐことができるようになる。
【００１２】
本発明の長尺材の表面処理方法の他の一つは、上記に記載の本発明の長尺材の横吊り治具に、複数の長尺材をその側面からの投影が重ならないようにかつ他端または一端からの投影が千鳥状になるように複数列配置して取り付けて斜め横吊りに保持し、次いで該長尺材を横吊り保持した横吊り治具を前記本発明の長尺材の表面処理装置を使用して、処理槽の処理液内に浸漬して長尺材に表面処理を施した後、該横吊り治具を前記処理液から引き上げ、長尺材に付着していた処理液を液切りする長尺材の表面処理方法とした。
この方法によっても、簡単な操作で多量の長尺材を処理液に浸漬・引き上げることができ、所定角度に傾斜させた治具柱に複数の長尺材の一端を揃えて保持し、該長尺材の他端側の治具柱に長尺材の他端を一端より高い位置に保持して傾斜しているので処理液が長尺材の下端から滴り落ち、しかも長尺材の一端は取り付けた治具柱の傾斜角度分ずれて存在することになるので下位に取り付けられた長尺材に処理液が滴下する範囲が狭くなり、垂痕に依る製品の仕上がり不良を未然に防ぐことができるようになる。さらに、電流密度が乱されずに均一な表面処理を施すことができる。
【発明の効果】
【００１３】
本発明によれば簡単な構造の長尺材の横吊り治具を採用することにより、処理液の液切りを確実に行うことができるようになる。従って低い設備投資をして簡単な表面処理装置となり、単純な操作で表面処理長尺材の仕上がり品質が良く、製品歩留まりも高いので経済効果は極めて大きい。
【発明を実施するための最良の形態】
【００１４】
図１は、本発明の長尺材の表面処理装置の主要部の構造を説明する側面図である。
本発明の長尺材の表面処理装置２０は、処理槽５の向かい合う側壁５ａ、５ｂの上面に軌条２１ａ，２１ｂを敷設し、該軌条２１ａ，２１ｂ上を走行可能な門型架台２２を備え、該門型架台２２の横梁２４に本発明の長尺材の横吊り治具１の水平ビーム３の両端３ａ，３ｂをワイヤー２５ａ，２５ｂで吊り下げ、該ワイヤー２５ａ，２５ｂを専用の巻き取り支持部２６ａ、２６ｂを介して専用の電動機２７により上下させて被処理長尺材２を処理槽５内の処理液８中に浸漬・引き上げするように構成されている。また、電動機２７を正逆回転させることにより横吊り治具１ごと被処理長尺材２を処理槽５内の処理液８中に浸漬・引き上げできるようになっている。尚、図中９，１４は保持具、２３ａ，２３ｂは門型架台２２を構成する門柱、２８ａ，２８ｂは給電用軌条である。
【００１５】
次に、本発明の長尺材の横吊り治具について説明する。
本発明の長尺材の横吊り治具１は、主として図１の水平ビーム３と該水平ビーム３に取り付けた相対向する一対の治具柱４ａ，４ｂからなっている。一対の治具柱４ａ，４ｂのうち少なくとも一方は、水平ビーム３の鉛直線に対して所定角度を保つように傾斜して取り付けておく。
治具柱４ａ，４ｂの間には、多数の長尺材２が保持具９，１４によって斜め横にして保持されている。図中実線は横吊り治具１を上方に引き上げて液切り状態にしたところを示し、二点鎖線は横吊り治具１を降下させて長尺材２を処理液８中に浸漬させた状態を示している。
【００１６】
（第１の実施形態）
図２に本発明の第１の実施形態にかかわる長尺材の横吊り治具１を拡大して示す。この実施形態では、図２に示すように一対の治具柱４ａ，４ｂの一方の治具柱４ａは、水平ビーム３の長手軸方向に対して垂直に取り付けられており、他方の治具柱４ｂは、水平ビーム３の長手軸方向に対して対向する治具柱４ａ側に所定の角度（θ）傾けて傾斜して取り付けられた傾斜治具柱となっている。
一対の治具柱４ａ，４ｂの相対向する内側には、被処理長尺材２を保持するための複数の保持具９，１４が取り付けられている。複数の長尺材２，２，２，・・・・はその一端を傾斜治具柱４ｂの軸方向に対して例えば直角になるように取り付けられている。長尺材２，２，２，・・・・は長尺材２の太さに合わせた適当な等間隔を保って取り付けてある。
ここで、長尺材２，２，２，・・・・の他端２ａ，２ａ，２ａ，・・・・が一端２ｂ，２ｂ，２ｂ・・・・よりも高位置になるように、複数の保持具９，９，９，・・・・及び１４，１４，１４，・・・・を配設すればよいから、治具柱４ｂの軸方向に対し、必ずしも直角になるような位置に限定されるわけではないことはいうまでもない。
【００１７】
即ち、複数の保持具９，９，９，・・・・及び１４，１４，１４，・・・・は、長尺材２を斜め状態で互いに平行に保持するために、治具柱４ａ，４ｂに位置がずらせるように調整可能に取り付けるとよい。一方の治具柱４ａが水平ビーム３に鉛直に取り付けられている場合は、一定長さの長尺材を容易に保持するために、一方の治具柱４ａに取り付けた保持具９は治具柱上方の保持具ほど下方の保持具９よりも長く作成しておくとよい。
図２において一方の治具柱４ａに取り付ける保持具９，９，９，・・・・は、例えばスプリング式やネジ式のピン構造とすることができる。ピン構造とすれば、長尺材２，２，２・・・・の脱着が容易にできるようになる。また、保持具９，９，９，・・・・の長さを可変にしておけば、種々の長さの長尺材に対応することができるので都合が良い。
【００１８】
他方の治具柱４ｂは、水平ビーム３の鉛直線に対して所定角度（θ）を保つように傾斜して取り付けられている。
この傾斜治具柱４ｂの所定角度（θ）は、６度から１５度とするのが好ましい。６度以上に傾斜した角度に保っておけば傾斜させた治具柱４ｂに複数の長尺材２，２，２・・・・の一端を揃えて保持し、該長尺材２の他端側の治具柱４ａに該長尺材２，２，２・・・・の他端を一端より高い位置に保持して傾斜させて横吊りに保持したときに被処理長尺材を処理槽から吊り上げて液切りする際に、処理液が長尺材２の低位の方向の末端２ｂに向かって流れ、液切りの最終期には液切りの液が下位にある長尺材２の上に垂れ落ちることなく下方に流れる。従って垂痕による製品の仕上がり不良を未然に防ぐことができるようになる。傾斜治具柱４ｂの所定角度θが１５度を超えると高さ方向において長尺材２，２，２・・・・の閉める割合が少なくなると共に横方向の占める割合が大きくなって長尺材の長さも制限が加わり、１回の処理本数が減り生産性を低下させる。長尺材２，２，２，・・・・の水平との角度は処理液が長尺材２の低位置方向にある末端２ｂに向かって流れれば限定されないが、６度あれば処理液は十分迅速に流下する。また、その角度が１５度を超えると、高さ方向において長尺材２，２，２，・・・・の占める割合が少なくなって１回の処理本数が減り生産性を低下させる。
【００１９】
保持具９，９，９，・・・・及び１４，１４，１４，・・・・は、一対の治具柱４ａ，４ｂに対して複数個、例えば５組から１０組取り付けるのが好ましい。
また、保持具９，９，９，・・・・及び１４，１４，１４，・・・・は、一対の治具柱４ａ，４ｂに対して１列だけ取り付けても良いが、処理槽の幅に応じて２列、３列等適当な間隔を保って複数並べて取り付けても良い。このようにすることにより一度に多量の長尺材の表面処理をすることができる。
【００２０】
傾斜した治具柱４ｂに取り付ける保持具１４，１４，１４，・・・・は、導電保持具とするのが好ましい。
電解表面処理をする際の電流供給端子とするためである。
保持具１４，１４，１４，・・・・は保持式のピン方式とし、長尺材２，２，２・・・・の荷重を支えられるだけの充分な強度を有するものとするのが望ましい。導電保持具は治具柱４ａ，４ｂのいずれに取り付けても良いが、図２に示すように長尺材の下位になる方の治具柱４ｂに取り付けた方が自重により常に密着するようになるので、接触抵抗が小さくなり電解処理する際に電力ロスを少なくすることができるので好ましい。片側の１本の治具柱に導電保持具を並べることにより、水平ビームの一方側から電力を供給できるので都合がよい。
電解処理の他方の電極は、処理槽中に配置する。
【００２１】
図４，図５に本発明の横吊り治具に長尺材をセットする方法を説明する。
図４−ａ、図５−ａは横吊り治具に長尺材をセットした状態を側面から見た図であり、図４−ｂ、図５−ｂはそれぞれ図４−ａ、図５−ａの線Ａ−Ａ’または線Ｂ−Ｂ’に沿った断面図を示す。
保持具９，９，９，・・・・及び１４，１４，１４，・・・・を取り付ける場合は、図４−ａ、図４−ｂに示すように長尺材２，２，２・・・・が縦１列になるように配置して取り付けても良いし、或いは縦に複数列取り付ける場合は図５−ａ、図５−ｂに示すように、複数の長尺材がその側面からの投影が重ならないように、千鳥状に配置して取り付けられるように配列しても良い。この場合、隣り合う列の間隔は長尺材の太さと同程度以上（図では７ｃｍとした）となるように保ち、千鳥状の下段の長尺材との間隔は２ｃｍ以上とするのが好ましい。このように長尺材が配列されるようにすれば、電解表面処理をする際に電流密度が乱されずに均一な表面処理を施すことができるようになる。
【００２２】
図中矢印は処理液の液滴が落下していく状態を示している。図のように傾斜治具柱４ｂに複数の長尺材２，２，２・・・・の一端を揃えて保持し、該長尺材２の他端側の治具柱４ａに該長尺材２，２，２・・・・の他端を一端より高い位置に傾斜させて保持すれば、処理液の液滴は長尺材に沿って下方に流れ、長尺材の末端近くから滴下する。液滴の滴下地点の下方にあたる長尺材の一端は取り付けた治具柱４ｂの傾斜角度分ずれて存在することになるので、処理液が下位の長尺材に垂れる範囲が狭くなり、垂痕による不良が少なくなる。傾斜治具柱４ｂが水平ビーム３の鉛直線に対して対向する治具柱４ａ側に６度傾いていれば、垂痕による表面処理不良は発生しなくなる。
【００２３】
（第２の実施形態）
図３に本発明の第２の実施形態にかかわる長尺材の横吊り治具１を拡大して示す。
図３に示すように、第２の実施形態にかかわる長尺材の横吊り治具１は、一対の治具柱４ａ，４ｂを備え、長尺材２，２，２・・・・の一端部に相当する箇所にある治具柱４ｂは水平ビーム３の鉛直線に対して対向する他の治具柱４ａ側に所定の角度（θ）傾けて傾斜し、かつ該他の治具柱４ａは前記傾斜して取り付けられている治具柱４ｂに平行に取り付けられた傾斜治具柱となっている。
一対の傾斜して取り付けてある治具柱４ａ，４ｂの相対向する内側には被処理長尺材２を保持するための複数の保持具９，９，９，・・・・及び１４，１４，１４，・・・・が取り付けられている。これらの保持具９，９，９，・・・・及び１４，１４，１４，・・・・は、複数の長尺材２，２，２，・・・・を斜め治具柱４ａ，４ｂの軸方向に対して例えば直角になるように、かつ長尺材２，２，２，・・・・の他端２ａ，２ａ，２ａ，・・・・が一端２ｂ，２ｂ，２ｂ・・・・よりも高位置になるように、長尺材２の太さに合わせた適当な等間隔を保って取り付けてある。
尚、長尺材２，２，２，・・・・の他端２ａ，２ａ，２ａ，・・・・が一端２ｂ，２ｂ，２ｂ・・・・よりも高位置になるように、複数の保持具９，９，９，・・・・及び１４，１４，１４，・・・・を配設すればよいから、治具柱４ｂの軸方向に対し、必ずしも直角のみに限定されるわけではないことはいうまでもない。
【００２４】
この場合の傾斜治具柱４ｂの所定角度（θ）も、第１の実施形態と同様に６度から１５度とするのが適当である。
被処理長尺材２，２，２・・・・の水平とのなす角度は処理液が長尺材２の低位置方向にある末端２ｂに向かって流れれば限定されないが、６度あれば処理液は十分迅速に流下する。
【００２５】
その他、保持具の構造や長尺材の保持方法などは前記の第１の実施形態の場合と同じなので、詳しい説明は省略する。
【００２６】
次に、本発明の長尺材の表面処理装置について説明する。
本発明の長尺材の表面処理装置２０は、図１に示したように、処理液８を入れる処理槽５の向かい合う側壁５ａ，５ｂの上面に軌条２１を敷設し、該軌条２１上を走行可能な門型架台２２を備え、該門型架台２２の横梁２４に前記の本発明の長尺材の横吊り治具１の両端をワイヤー２５ａ、２５ｂで吊り下げ、該ワイヤー２５ａ、２５ｂを専用の巻き取り支持部２６ａ、２６ｂで上下させて長尺材２を処理槽５内の処理液８中に浸漬・引き上げするように構成した長尺材の表面処理装置である。
本発明の長尺材の表面処理装置においては、処理槽５の向かい合う側壁の上面５ａ，５ｂに給電用軌条２８を敷設し、前記長尺材の横吊り治具１を降下させて横吊り治具１の水平ビーム３を該給電用軌条上２８に載置して、導電保持具１４に電力を供給するように構成しておくと良い。
このような構造とすれば、電解処理を施す必要がある場合には、長尺材２の横吊り治具１を降下させて横吊り治具１の水平ビーム３を該給電用軌条２８上に載置するだけの簡単な操作で確実に給電することが可能になる。
【００２７】
本発明の長尺材の表面処理装置２０では、図示省略の例えば前処理用のアルカリ性水溶液槽、酸性水溶液槽、洗浄用の水洗処理槽、各種処理用の処理液槽等の複数の処理槽が連続して配置されており、これら複数の処理槽の側壁上に軌条が敷設されていて、門型架台が軌条上を移動して、工程順に所定の処理槽で浸漬・引き上げを行って一連の表面処理を行うようになっている。
１基の門型架台２２には１組の長尺材の横吊り治具１のみを吊り下げても良いし、処理槽５の横幅に合わせて複数組の長尺材の横吊り治具１を吊り下げても良い。複数組の長尺材の横吊り治具１を吊り下げれば、一度に多量の長尺材の表面処理をすることができる利点がある。
各門型架台２２は、専用の電動機２７に連結した巻き取り支持部２６ａ，２６ｂを備えているので、所定のプログラムに従って各長尺材の横吊り治具１ごとに必要な表面処理を施すことができる。
【００２８】
次に、本発明の長尺材の表面処理方法について説明する。
本発明の長尺材の表面処理方法においては、上述の本発明の長尺材の横吊り治具を使用した、本発明の長尺材の表面処理装置を使用して処理する。
先ず、本発明の表面処理装置に組み込んだ長尺材の横吊り治具に被処理長尺材を必要な本数取り付けて、該長尺材を斜め横吊りして保持する。取付方法は、図４に示すように縦１列に配置して取付けても良いし、図５に示すように側面からの投影が重ならないように、かつ他端または一端からの投影が千鳥状になるように配置して取り付けても良い。次いで門型架台を最初の処理槽上に移動させた後、被処理長尺材を取り付けた横吊り治具の両端に掛けたワイヤーロープを緩めて、横吊り治具の水平ビームを処理槽上の導電材上にのせるとともに、被処理長尺材を処理槽内の処理液中に浸漬させる。所定の時間処理液中に浸漬保持して所定の表面処理を施す。必要により電解処理を施すこともできる。
【００２９】
所定の表面処理が終了したら、横吊り治具１を引き上げ、次工程の処理槽に浸漬させて処理する。以上のような工程を繰り返して、長尺材に必要な表面処理を施す。全ての表面処理が終了した長尺材は、必要により充分水洗いした後、横吊り治具の両端にワイヤーロープを固定し、該ロープを巻き上げて横吊り治具ごと被処理長尺材を処理液から引き上げて暫く保持し、液切りを行う。被処理長尺材に付着した処理液は傾斜した長尺材を伝わって下方に流れ、長尺材の末端から滴下する。この時上段の長尺材を伝わって下方に流れてきた処理液が滴下しても、滴下する真下には下段の長尺材の一端は重なっていないので、垂痕の発生はほとんど無い。液切り所用時間は１０〜１５分程度必要である。液切りの間に長尺材の表面はほとんど乾燥するが乾燥炉あるいは焼付炉等の加熱炉に入れて完全に乾燥させる。
【００３０】
本発明の表面処理装置において、横吊り治具を上下させるための巻き上げ装置を駆動する電動機を、各横吊り治具ごとに独立して駆動できるように設計しておけば、複数の表面処理工程を同時に実施することが可能となる。
さらに、複数の門型架台を配置して順次平行移動させことにより、効率良くの複数の表面処理工程を実施することが可能となるので、生産効率を飛躍的に向上させることができる。
【００３１】
このようにして長尺材に表面処理を施せば、簡単な設備で単純な操作を行うことにより、垂痕に依る製品の仕上がり不良が少なく、綺麗な仕上がりの表面処理長尺材を容易に得ることができる。
【００３２】
［実施例］
以下に実施例を挙げて本発明を具体的に説明する。
【実施例１】
【００３３】
長尺材として、断面サイズが縦２０ｃｍ×横４ｃｍで長さが６ｍのアルミ合金中空押出形材８本を図４に示した如く傾斜治具柱４ｂに長尺材２の一端２ｂを揃えて取り付け、長尺材２の他端２ａを一端２ｂより高い位置に取り付けた。傾斜治具柱４ｂの角度θを水平ビーム３の鉛直線に対して治具柱４ａ側に種々の値に変えて横吊りした。傾斜治具柱４ｂに対峙する治具柱４ａは斜め治具柱４ｂに平行とした。従って角度は傾斜治具柱の角度と同一となる。
図４−ｂに示すように、長尺材を該長尺材の側面からの投影方向で縦一列の直線状になるように、２ｃｍの間隔を開けて各々平行に配置取り付けて斜め横吊りに保持した。尚、前記中空押出形材８本は図４−ａに示すように傾斜治具柱４ｂに直角になるように保持具で保持した。図中矢印は処理液がしたたり落ちる方向を示している。
【００３４】
上記のように前記中空押出形材８本を斜め横吊りし、該横吊り治具を図１に示した処理装置に装填し、専用の巻き取り支持部で処理槽中に浸漬した。次いで該処理槽から横吊り治具を吊り出し、５分間静止して処理液の液切りし、更に７分後乾燥炉に入れて乾燥後最上位の形材を除く各形材の垂痕を測定した。
【００３５】
概ね各テストにおいて下位の長尺材ほど垂痕は左方向に長く伸び、その長さ（Ｌ）に相当する部分が不良になる。測定結果を表１に示す。
【００３６】
【表１】
2008101231.tif 000003
【実施例２】
【００３７】
本実施例では、図５−ａに示すように、実施例１と同様に傾斜治具柱４ｂの角度θを水平ビーム３の鉛直線に対して治具柱４ａ側に種々の値に変えて横吊りした。治具柱４ａは傾斜治具柱４ｂと平行にした。横吊りにあたっては実施例１と同様の長尺材を該長尺材の側面からの投影方向で互いに重ならないように、２ｃｍの間隔を開けて各々平行に配置して取付けて斜め横吊りして保持した。断面方向から見ると図５−ｂに示すように、長尺材は千鳥状に交互に縦２列に並んだ配置となっている。一段下がった隣の列との間隔は、２ｃｍとなっている。図中矢印は処理液がしたたり落ちる方向を示している。
尚、前記押出形材８本は図５−ａに示すように傾斜治具柱４ｂに直角になるように保持具で保持した。実施例１と同様の条件で表面処理を施し、最上位の形材を除く各形材の垂痕を測定した。測定結果を表２に示す。
【００３８】
【表２】
2008101231.tif 000004
【００３９】
表１及び表２の結果から判るように、本発明の表面処理方法によれば水平ビームの鉛直線と斜め治具柱のなす角度θが６度以上になれば垂痕が発生しないことが判る。
また、複雑な装置を設けなくても操作上なんら支障なく、モーター一つで能率良く作業ができることが判る。
【図面の簡単な説明】
【００４０】
【図１】本発明の長尺材の表面処理装置の主要部の構造を説明する側面図である。
【図２】本発明の第１の実施形態に係わる横吊り治具を示す図である。
【図３】本発明の第２の実施形態に係わる横吊り治具を示す図である。
【図４−ａ】本発明の横吊り治具に長尺材を取り付ける方法の一例を示す側面図である。
【図４−ｂ】本発明の横吊り治具に長尺材を取り付ける方法の一例を示す断面図である。
【図５−ａ】本発明の横吊り治具に長尺材を取り付ける他の方法の例を示す側面図である。
【図５−ｂ】本発明の横吊り治具に長尺材を取り付ける他の方法の例を示す断面図である。
【符号の説明】
【００４１】
１  横吊り治具、
２  長尺材、
３  水平ビーム、
４ａ、４ｂ  治具柱、
５  処理槽、
８  処理液、
９  保持具、
１４  導電保持具、
２０  表面処理装置、
２１  軌条、
２２  門型架台、
２３ａ、２３ｂ  門柱、
２４  横梁、
２５ａ、２５ｂ  ワイヤー、
２６ａ、２６ｂ  巻き取り支持部、
２７  電動機、
２８ａ、２８ｂ  給電用軌条、
【図１】
2008101231.tif 000005
【図２】
2008101231.tif 000006
【図３】
2008101231.tif 000007
【図４−ａ】
2008101231.tif 000008
【図４−ｂ】
2008101231.tif 000009
【図５−ａ】
2008101231.tif 000010
【図５−ｂ】
2008101231.tif 000011